(57)【要約】      （修正有）【課題】ガーゼ等の織布や不織布を用いて作られたマスク本体の、左右の側端辺の夫々に耳掛紐を取付けたマスクの面において、マスク本体の左右方向に複数の襞を設けることにより、鼻部および顎から頬への面に倣って伸縮性に富み、一つのサイズで顔の大きさに拘わらず誰にでも着用できる立体マスクを提供する。【解決手段】口および鼻孔を覆うに足る大きさと形状を備えたマスク本体１の左右の側端辺３、３‘の夫々に耳掛紐２、２‘が取付けられ、かつ、前記マスク本体１上方の縁辺４における中央部がＶカット状に縫い縮められ、かつ、前記マスク本体１の前面が凸状に形成されるマスクであって、マスク本体１の左右方向に襞１０が施されることを特徴とする立体マスク。【選択図】図１
0003121985.tif 000002
【実用新案登録請求の範囲】
【請求項１】
口および鼻孔を覆うに足る大きさと形状を備えたマスク本体１の左右の側端辺３、３‘の夫々に耳掛紐２、２‘が取付けられ、
かつ、前記マスク本体１上方の縁辺４における中央部がＶカット状に縫い縮められ、
かつ、前記マスク本体１の前面が凸状に形成されるマスクであって、
マスク本体１の左右方向に襞１０が施されることを特徴とする立体マスク。
【考案の詳細な説明】
【技術分野】
【０００１】
本考案は、伸縮性を改善した立体マスクに関する。詳しくは、マスク本体の前面が凸状に膨らむように形成して、鼻、あるいは、口周囲の息苦しさ、圧迫感等の使い勝手上の問題を改善するとともに、マスク本体に襞を設けることにより伸縮性を改善し、様々な顔の大きさに対応可能にした立体マスクに関する。
【背景技術】
【０００２】
従来から、マスクには、顔面への装着感を改善するために種々の工夫がなされている。図４にマスクを表側から見た斜視図として示すように、マスクＢは、口および鼻孔を覆うに足る大きさと形状を備え、複数枚のガーゼ等織布あるいは不織布を重ね合わせたマスク本体１１の、左右の側端辺１３、１３‘の夫々に、ゴム輪状の耳掛紐１２、１２‘を設けている。そして、マスク本体１１の上縁辺１４の中央部において、Ｖカット状の縫い縮め部１５を設ける。マスク本体１１の中央部をＶカット状に縫い縮めることにより、中央部の凸状に膨らんだ縦寸法が左右の側端辺１３、１３‘より長くなる。
【０００３】
図５にマスクＢを裏側から見た斜視図として示すように、マスク本体１１の中央部において、鼻および口に対向する部分に窪んだ凹状部１９が形成されるので、この部分がマスクと鼻および口との間のゆとり空間となる。その効果として、マスク装着時における息苦しさや、密着による不快感を解消できる。
【０００４】
この従来のマスクでは、マスク本体１１の上下方向の伸縮性が乏しいので、一つのサイズのマスクでは、大きい顔、小さい顔、あるいはやせた人、太った人、もしくは顔の長い人、短い人の両方には使えない。同様に、一つのサイズのマスクでは、大人用、子供用の両方には着用できない。また、マスクの裏面において鼻から口元への空間を拡げることができないので、マスクの面に唇が触れて違和感があり、また、マスクの面に口紅が付着して不衛生である。
【考案の開示】
【考案が解決しようとする課題】
【０００５】
昨今の様に、吸入感染性でより悪質なウイルスが次々に発見され、また、季節が巡る毎に多くの人々が花粉症に苦しめられている現状を考えれば、あるいは、各種の生産施設や廃棄物処理施設等で、有害な粉塵に曝さらされている人々の健康管理を考えれば、これ等に対する最も手軽な解決手段となるマスクに関し、一つのサイズで顔の大きさに拘わらず誰にでも着用できるマスクが必要とされる。
【０００６】
そこで、本考案の目的は、ガーゼ等の織布や不織布を用いて作られたマスク本体の、左右の側端辺の夫々に耳掛紐を取付けたマスクの面において、マスク本体の左右方向に複数の襞を設けることにより、鼻部および顎から頬への面に倣って伸縮性に富み、一つのサイズで顔の大きさに拘わらず誰にでも着用できる立体マスクを提供する。
【課題を解決するための手段】
【０００７】
上記の目的を達成するための、本考案による立体マスクは、口および鼻孔を覆うに足る大きさと形状を備えたマスク本体１の左右の側端辺３、３‘の夫々に耳掛紐２、２‘が取付けられ、かつ、前記マスク本体１上方の縁辺４における中央部がＶカット状に縫い縮められ、かつ、前記マスク本体１の前面が凸状に形成されるマスクであって、マスク本体１の左右方向に襞１０が施されることを特徴とする立体マスクである。
【考案の効果】
【０００８】
上記の構成を備えた本考案によるマスクは、従来のマスクに比べて以下に示す様な優れた機能を備えている。マスク本体の左右方向に複数のプリーツを備えることにより、鼻部および顎から頬への面に倣ってマスク本体の伸縮性が向上するので、一つのサイズで顔の大きさに拘わらず誰にでも着用できる。また、鼻部および顎から頬への面に倣って空間が拡大されるので、マスクの面に唇が触れず違和感が生じず、また、口紅が付着しないので衛生的である。
【考案を実施するための最良の形態】
【０００９】
本考案の実施の形態を、添付図面に示した本考案の実施例に基づいて以下に具体的に説明する。
【実施例】
【００１０】
先ず、本考案の実施例について、図１〜３を参照しながら説明する。図１は、この実施例における展開状態のマスクＡを表側から見た斜視図、図２は、マスクＡを裏側から見た斜視図、図３は、マスクＡを装着した状態の説明図である。
【００１１】
マスクＡの表側から見た斜視図として図１に示すように、マスクＡは、口および鼻孔を覆うに足る大きさと形状を備えたマスク本体１と、マスク本体１の左右の側端辺３、３‘の夫々に、ゴム輪状の耳掛紐２、２‘を設けている。そして、マスク本体１の上縁辺４の中央部において、Ｖカット状の縫い縮め部５を設ける。マスク本体１上方の縁辺４の中央部をＶカットにして縫い縮めることにより、中央部の上から下へ膨らんだ曲線が左右の側端辺３、３‘より長くなる。このように、マスク本体１には中央部の上から下へ膨らんだ凸状部８が形成され、立体マスクとなる。
【００１２】
一方、マスクＡの裏側から見た斜視図として図２に示すように、マスク本体１上方の縁辺４、４が縫い縮め部５から左右に分かれ、これらの縁辺４、４とマスク本体１の上方部とによって、傾斜面７、７が形成される。そして、傾斜面７、７は、頂点Ｐ、頂点Ｑを結ぶ線を稜として、左右へ傾斜した面を形成する。このようにして、マスクＡの裏面は、庇状に形成される傾斜面７、７が上方から被さった凹状部９が形成される。
【００１３】
以上のように構成されるマスクＡにおいて、マスク本体１において側端辺３から側端辺３‘に向けてプリーツ加工された襞１０、１０を平行に設ける。襞１０、１０はマスク本体１の生地を二重折りにしたもので、表面の凸状部８の膨らんだ形状に沿って折り込み形成される。ここで、ガーゼ等織布あるいは不織布が有する熱可塑性を利用して単に熱を加え、あるいは、圧力を加え、あるいは湿熱加圧法等によって、襞１０が形成される。
【００１４】
以上の様に構成され、次に作用について説明する。
【００１５】
言うまでもなく、マスクに求められる機能は、身体に有害な花粉、粉塵、あるいは、ウイルス等の微粒物体が、呼気と共に体内に吸い込まれることを最大限に防ぐことである。
【００１６】
そのための対策は、マスク本体１の材質と形状に関し、顔の立体形状、特に、鼻の隆起形状あるいは顔面の頬に倣って密着するものを吟味し、かつ、マスク本体１が顔の大きさに応じて上下に伸び縮みすることが大事である。    
【００１７】
マスクＡを顔面に装着した状態を図３に示すように、頂点Ｑが鼻部Ｎの前方部に位置し、マスクＡの縁辺４、４が鼻根部Ｕの僅か下部から鼻部Ｎの鼻背の左右に沿いながら、鼻部Ｎの隆起形状に倣って密着する。一方、顔面下部の顎部Ｍから頬への面は、マスクＡの縁辺６、６に沿って密着する。マスクＡは、顎部Ｍから頬への面に倣って変形するので、この部分の気密性が十分に確保される。
【００１８】
そして、マスクＡの裏面において、マスク本体１において凹状部９が形成されるので、この凹状部９が、マスクの表外方に向かって膨らみゆとり空間Ｓとして機能する。そして、マスク本体１に生地が重なり合った襞１０、１０を備えているので、顔の大小に応じて襞が拡がってマスク本体１が上下に伸びてマスクの面積が大きくなる。
【００１９】
以上説明したように、顔面の鼻部Ｎは、縁辺４、４に沿って密着し、顔面の顎部Ｍから頬への面は、縁辺６、６に沿って密着する。そして、鼻、口および顔面の頬の周りは、外界から遮断され、マスクの表外方に向かって膨らんだゆとり空間Ｓが形成されるので、マスク本体１が鼻や口に密着して不快感をもよおすことがない。更に、マスク本体１に襞１０、１０を備えるので、襞が拡がって口元の空間が拡がる。そして、襞１０を介してマスク本体１が上下方向に伸び縮みするので、一つのマスクサイズで様々な顔の大きさ、形に対応させることができる。
【産業上の利用可能性】
【００２０】
ウイルスが次々に発見され、季節が巡る毎に多くの人々が花粉症の用途の他に、各種の生産施設や廃棄物処理施設等で、有害な粉塵に曝さらされている人々の健康管理を考えるうえで一つのサイズで大人、子供にも本考案のマスクを対応できる。
【図面の簡単な説明】
【００２１】
【図１】本考案のマスクの実施例を示すもので、展開状態のマスクを表面から見た斜視図である。
【図２】同上、マスクを裏面から見た斜視図である。
【図３】同上、マスクを装着した状態の説明図である。
【図４】従来のマスクを示すもので、展開状態のマスクを表面から見た斜視図である。
【図５】同上、展開状態のマスクを裏面から見た斜視図である。
【符号の説明】
【００２２】
Ａ、Ｂ  マスク
Ｍ  顎部
Ｎ  鼻部
Ｐ、Ｑ  頂点
Ｓ  ゆとり空間
Ｕ  鼻根部
１  マスク本体
２、２‘  耳掛紐
３、３‘  側端辺
４  縁辺
５  縫い縮め部
６  縁辺
７  傾斜面
８  凸状部
９  凹状部
１０  襞
１１  マスク本体
１２、１２‘  耳掛紐
１３、１３‘  側端辺
１４  縁辺
１５  縫い縮め部
１６  縁辺
１８  凸状部
１９  凹状部
【図１】
0003121985.tif 000003
【図２】
0003121985.tif 000004
【図３】
0003121985.tif 000005
【図４】
0003121985.tif 000006
【図５】
0003121985.tif 000007